(57)【要約】  【課題】繰り返して使用しても高い表示品位を維持できる液晶パネルを提供する。  【解決手段】タッチセンサ30の突条電極31の表面電極33を配向膜34から露出させる。対向電極41の配向膜48の突条電極31が接触する部分に露出部49を形成して露出させる。突条電極31の表面電極33を対向基板41の対向電極47に電気的に接続させてスイッチングさせる際に、表面電極33が配向膜34,48に接触しない。配向膜34,48同士の摩擦がない。タッチセンサ30のスイッチングで配向膜34,48が削れない。配向膜34,48の剥れで生じる配向不良や、削れた配向膜34,48が液晶層52中に浮遊して生じる表示不良が起きない。タッチセンサ30を繰り返してスイッチングしても、高い表示品位を維持できる。  【選択図】図１
2007052368.tif 000002
【特許請求の範囲】
【請求項１】
絶縁基板、この絶縁基板の一主面にマトリクス状に設けられた複数の画素、およびこれら複数の画素上に設けられた配向膜を備えたアレイ基板と、
絶縁基板、この絶縁基板の一主面に設けられた電極層、およびこの電極層の一主面に設けられた配向膜を備え、この配向膜を前記アレイ基板の配向膜に対向させて配設された対向基板と、
前記アレイ基板と対向基板との間に介在された液晶とを具備し、
前記アレイ基板および対向基板のいずれか一方の対向する側の前記絶縁基板の一主面とこの一主面に設けられた前記配向膜との間には、この一主面より突出し前記対向基板の電極層への電気的な接触によってスイッチングする突条電極が設けられ、
前記アレイ基板の配向膜および前記対向基板の配向膜の少なくとも一方は、前記突条電極と前記電極層とが対向する部分を除いて設けられている
ことを特徴とした液晶表示装置。
【請求項２】
アレイ基板および対向基板それぞれの配向膜は、突条電極と電極層とが対向する部分を除いた絶縁基板上に設けられている
ことを特徴とした請求項１記載の液晶表示装置。
【請求項３】
アレイ基板および対向基板のいずれか一方の対向する側の一主面に前記アレイ基板の各画素に対応して設けられたカラーフィルタ層を備え、
突条電極は、前記カラーフィルタ層上に積層されて設けられている
ことを特徴とした請求項１または２記載の液晶表示装置。
【請求項４】
カラーフィルタ層は、アレイ基板の絶縁基板の一主面上に設けられている
ことを特徴とした請求項１ないし３いずれか記載の液晶表示装置。
【発明の詳細な説明】
【技術分野】
【０００１】
本発明は、アレイ基板と対向基板との間に突条電極を有する液晶表示装置に関する。
【背景技術】
【０００２】
従来、この種の液晶表示装置は、アレイ基板と対向基板との間に液晶が介在されており、これらアレイ基板と対向基板と周囲の液晶封入口を除いた部分が接着剤にて固定され、この液晶封入口が封止剤で封止されている。さらに、これらアレイ基板と対向基板との間には、これらアレイ基板と対向基板との間の距離を一定に保持するために粒径の均一なプラスティックビーズなどがスペーサとして散在されている。
【０００３】
また、カラー表示用の液晶表示装置は、アレイ基板と対向基板のいずれか一方のガラス基板上に、Ｒ(Red:赤色)に着色された赤色層と、Ｇ(Green:緑色)に着色された緑色層と、Ｂ(Blue:青色)に着色された青色層とで構成されたカラーフィルタ層が形成されている。そして、この液晶表示装置の表示方式としては、例えばＴＮ(Twisted Nematic)形、ＳＴ(Stock Time)形、ＧＨ(Guest Host)形あるいはＥＣＢ(Electrically Controlled Birefringence)形や強誘電性液晶などが用いられている。また、封止剤としては、例えば熱にて硬化する熱硬化型や紫外線の照射にて硬化する紫外線硬化型のアクリル形またはエポキシ形の接着剤などが用いられている。
【０００４】
さらに、カラー型アクティブマトリクス駆動液晶表示装置は、絶縁基板上に走査線および信号線が格子状に設けられ、これら走査線および信号線の交点に対応してアモルファスシリコン(ａ−Ｓｉ)を半導体層とした薄膜トランジスタ(Thin Film Transistor:ＴＦＴ)が設けられ、これら薄膜トランジスタに画素電極が電気的に接続されたアクティブマトリクス基板としてのアレイ基板を備えている。そして、このアレイ基板に対向して、対向電極が設けられた対向電極が配設されており、この対向基板上にカラーフィルタ層が設けられている。
【０００５】
また、これらアレイ基板と対向基板との間の画面周辺部には、アレイ基板から対向基板へ電圧を印加するトランスファである電極転移材が配置されている。この電極転移材としては、導電性の銀粒子をバインダにてペースト状にした銀ペーストなどが用いられる。そして、この電極転移材によって、アレイ基板と対向基板とが電気的に接続されている。また、これらアレイ基板と対向基板とのそれぞれは偏光板にて挟持されており、光シャッタとしてカラー画像が表示可能に構成されている。
【０００６】
さらに、タッチパネルと呼ばれるセンサ機能を有する液晶表示装置は、この液晶表示装置の外部にセンサ機能を有する構成が設けられている。例えば、この液晶表示装置の画面上にセンサ機能を有する別のシート状のパネルを対向させて配置することによって、この液晶表示装置をタッチパネルとして利用可能とさせた構成が知られている(例えば、特許文献１参照。)。
【０００７】
ところが、このセンサ機能を有する液晶表示装置では、液晶表示装置の外部にセンサ機能を有するシート状のパネルが対向させて配置されているため、このパネルの厚さほど液晶表示装置が厚くなってしまうから、この液晶表示装置の明るさを低下させてしまう。また、この液晶表示装置のほかにセンサ機能を有するパネルが別途必要となるため、この液晶表示装置の製造コストが高くなってしまう。
【０００８】
そこで、この種のセンサ機能を有する液晶表示装置としては、互いに対向する側の一主面に絶縁性の配向膜がそれぞれ積層されたアレイ基板と対向基板との間のセルギャップ内に、このセルギャップより小さな突条のセンサが設けられており、このセンサもまた配向膜にて積層されている。そして、これらアレイ基板あるいは対向基板の任意の位置を押すことによってセンサが導通してスイッチングする構成が知られている(例えば、特許文献２参照。)。
【特許文献１】特開２００４−３４８２０４号公報
【特許文献２】特開２００１−７５０７４号公報
【発明の開示】
【発明が解決しようとする課題】
【０００９】
しかしながら、上述したセンサ機能を有する液晶表示装置では、この液晶表示装置内にセンサを設けることが可能で、センサ機能を有するパネルが不要な分、厚さを小さくして明るさを向上できるが、この液晶表示装置のアレイ基板および対向基板それぞれの一主面に、絶縁性の配向膜が積層されているので、これらアレイ基板および対向基板を強く押せば配向膜を介してセンサを導通させてスイッチングできるものの、このセンサの表面の導電性が配向膜によって低下してしまう。
【００１０】
また、アレイ基板および対向基板を押してセンサのスイッチングを繰り返すことによって、このセンサによる配向膜への接触が繰り返される。したがって、このセンサが接触する部分の配向膜が削れて、配向不良を起したり、削れた配向膜が液晶中を浮遊して表示不良を起したりするおそれがあるから、繰り返して使用することによって表示品位が維持できなくなるおそれがあるという問題を有している。
【００１１】
本発明は、このような点に鑑みなされたもので、繰り返して使用しても高い表示品位を維持できる液晶表示装置を提供することを目的とする。
【課題を解決するための手段】
【００１２】
本発明は、絶縁基板、この絶縁基板の一主面にマトリクス状に設けられた複数の画素、およびこれら複数の画素上に設けられた配向膜を備えたアレイ基板と、絶縁基板、この絶縁基板の一主面に設けられた電極層、およびこの電極層の一主面に設けられた配向膜を備え、この配向膜を前記アレイ基板の配向膜に対向させて配設された対向基板と、前記アレイ基板と対向基板との間に介在された液晶とを具備し、前記アレイ基板および対向基板のいずれか一方の対向する側の前記絶縁基板の一主面とこの一主面に設けられた前記配向膜との間には、この一主面より突出し前記対向基板の電極層への電気的な接触によってスイッチングする突条電極が設けられ、前記アレイ基板の配向膜および前記対向基板の配向膜の少なくとも一方は、前記突条電極と前記電極層とが対向する部分を除いて設けられているものである。
【００１３】
そして、アレイ基板および対向基板のいずれか一方の対向する側の絶縁基板の一主面とこの一主面に設けた配向膜との間に突条電極を設け、アレイ基板の絶縁基板の一主面に設けた配向膜と、対向基板の絶縁基板の一主面に設けた配向膜の少なくとも一方を、突条電極と電極層とが対向する部分を除いて設けたことにより、突条電極を電極層に電気的に接触させてスイッチングさせた際に、この突条電極が少なくとも一方の配向膜に接触しなくなる。したがって、これら突条電極と電極層とを繰り返してスイッチングさせても、これら突条電極と電極層とのスイッチングによって少なくとも一方の配向膜が削れて配向不良が起きたり、この削れた配向膜が液晶中を浮遊して表示不良が起きたりしないので、これら突条電極と電極層とのスイッチングを繰り返しても高い表示品位を維持できる。
【発明の効果】
【００１４】
本発明によれば、アレイ基板の配向膜と対向基板の配向膜の少なくとも一方を、突条電極と電極層とが対向する部分を除いて設けたことにより、この突条電極を電極層に電気的に接触させてスイッチングさせた際に、この突条電極が少なくとも一方の配向膜に接触しなくなる。したがって、これら突条電極と電極層とを繰り返してスイッチングさせても、少なくとも一方の配向膜が削れたりせず、配向不良や表示不良が起きたりしないから、これら突条電極と電極層とのスイッチングを繰り返しても高い表示品位を維持できる。
【発明を実施するための最良の形態】
【００１５】
以下、本発明の液晶表示装置の第１の実施の形態の構成を図１ないし図３を参照して説明する。
【００１６】
図１および図２において、１は平面表示装置としての液晶パネルで、この液晶パネル１は、タッチパネルセンサが内蔵された液晶表示装置であるとともに、スイッチング素子として薄膜トランジスタ(Thin Film Transistor:ＴＦＴ)を用いたアクティブマトリクス型の液晶表示素子である。そして、この液晶パネル１は、アクティブマトリクス基板としての略矩形平板状のアレイ基板２を備えている。このアレイ基板２は、ＸＧＡ(eXtended Graphics Array)型の薄膜トランジスタ(ＴＦＴ)基板であって、略透明な矩形平板状の絶縁基板としての透光性基板であるガラス基板３を有している。
【００１７】
このガラス基板３の一主面である表面上の中央部には、図２に示すように、画像表示領域としての画面部４が形成されている。そして、この画面部４には、複数の画素５がマトリクス状に設けられて配置されている。これら複数の画素５は、ガラス基板３の縦方向に沿ってｎ個形成されており、このガラス基板３の横方向に沿ってｍ個形成されている。したがって、これら複数の画素５は、ガラス基板３上にｎ×ｍ個形成されている。さらに、これら画素５のそれぞれには、表示電極としての画素電極６、蓄積容量としての画素補助容量である補助容量７、および薄膜トランジスタ８がそれぞれ１つずつ配置されている。
【００１８】
また、ガラス基板３の表面には、ゲート電極配線としての複数の走査線11が、このガラス基板３の幅方向に沿って配設されている。これら走査線11は、ガラス基板３の横方向に向けて等間隔に平行に離間されている。また、これら走査線11間のそれぞれには、電極配線としての画像信号配線である複数の信号線12が、ガラス基板３の縦方向に沿って配設されている。これら信号線12は、ガラス基板３の横方向に向けて等間隔に平行に離間されている。したがって、これら走査線11および信号線12は、ガラス基板３上に交差して格子状であるマトリクス状に配線されている。そして、これら走査線11および信号線12の各交点に対応して、画素電極６、補助容量７および薄膜トランジスタ８のそれぞれが各画素５毎に設けられている。
【００１９】
一方、ガラス基板３の周縁には、信号線駆動回路としての細長矩形平板状のＹドライバ回路14が配設されている。このＹドライバ回路14は、ガラス基板３の横方向に沿った一側縁に設けられている。さらに、このＹドライバ回路14は、ガラス基板３の縦方向に沿って設けられており、このガラス基板３上の各走査線11それぞれの一端部が電気的に接続されている。
【００２０】
また、このガラス基板３の縦方向に沿った一端には、走査線駆動回路としての細長矩形平板状のＸドライバ回路15が配設されている。このＸドライバ回路15は、ガラス基板３の横方向に沿って設けられており、このガラス基板３上の各信号線12それぞれの一端部が電気的に接続されている。なお、これらＹドライバ回路14およびＸドライバ回路15は、Ｙドライバ回路14から各走査線11に供給される走査信号によって、薄膜トランジスタ８をオンオフさせるタイミングに同期して、Ｘドライバ回路15から各信号線12に画素信号を供給させることによって、アレイ基板２の画面部４に所定の画像を表示させる。
【００２１】
次いで、図１に示すように、ガラス基板３の表面には、シリコン窒化膜や酸化シリコン膜などにて構成された図示しないアンダーコート層が積層されて成膜されている。このアンダーコート層上には、トップゲート型構造としてのトップゲートタイプである薄膜トランジスタ８が１画素構成要素として配設されている。この薄膜トランジスタ８は、スイッチング素子であるとともに半導体素子としてのＴＦＴ素子である。そして、これら薄膜トランジスタ８は、アンダーコート層上に積層されて形成されたソース電極21およびドレイン電極22を備えている。これらソース電極21およびドレイン電極22は、所定の間隙を介して電気的に絶縁された状態で設けられている。そして、このソース電極21は、信号線12に電気的に接続されており、ドレイン電極22は、補助容量７に電気的に接続されている。
【００２２】
さらに、これらソース電極21およびドレイン電極22の間には、半導体層としての活性層23が設けられている。この活性層23は、ソース電極21およびドレイン電極22を含むアンダーコート層上に設けられている。そして、この活性層23は、多結晶半導体としてのポリシリコン(ｐ−Ｓｉ)にて構成された多結晶半導体層としてのポリシリコン半導体層である。すなわち、この活性層23は、非晶質半導体としてのアモルファスシリコン(ａ−Ｓｉ)をエキシマレーザ溶解結晶化でアニールしてからパターニングして作成した島状のポリシリコン薄膜である。
【００２３】
また、この活性層23上には、導電性を有するゲート電極24が積層されて成膜されている。このゲート電極24は、図２に示すように、走査線11の一側縁に一体的に接続されて、この走査線11の一部を構成する。すなわち、このゲート電極24は、走査線11に電気的に接続されている。ここで、このゲート電極24は、活性層23の長手方向に直交する長手方向を有している。また、このゲート電極24は、活性層23の幅寸法より小さな幅寸法を有しており、この活性層23上の中央部に設けられている。
【００２４】
そして、これら薄膜トランジスタ８を含むアンダーコート層上には、絶縁性を有する絶縁層としての層間絶縁膜25が積層されて形成されている。この層間絶縁膜25は、感光性アクリル樹脂にて形成されており、アレイ基板２の少なくとも画面部４の略全域を覆っている。そして、この層間絶縁膜25には、各薄膜トランジスタ８のドレイン電極22を開口させる導通部としてのコンタクトホール26が形成されている。これらコンタクトホール26は、各薄膜トランジスタ８のドレイン電極22を層間絶縁膜25上に導通させている。
【００２５】
さらに、これらコンタクトホール26を含む層間絶縁膜25上には、ＩＴＯ(Indium Tin Oxide)にて構成された透明な画素電極６が積層されて設けられている。この画素電極６は、各画素５に対応してアレイ基板２の画面部４にマトリクス状に設けられている。また、この画素電極６は、コンタクトホール26を介して薄膜トランジスタ８のドレイン電極22に導通されて電気的に接続されている。すなわち、この画素電極６は、この画素電極６にドレイン電極22が電気的に接続されている薄膜トランジスタ８によって制御される。
【００２６】
また、画素電極６上の対向基板41のカラーフィルタ層43の各青色フィルタ部46に対向する位置には、アレイ基板２と対向基板41との間の間隔を保持する細長円柱状のスペーサ27が設けられている。これらスペーサ27は、感光性アクリル樹脂、例えばＮＮ６００(ＪＳＲ株式会社製)にて形成されており、高さ５μｍで平面視１５μｍ×１５μｍの大きさに形成されている。そして、これらスペーサ27は、画面部４の縦方向および横方向のそれぞれに向けて所定個数、例えば２個の画素５を介した部分に位置する画素５毎に設けられている。すなわち、これらスペーサ27は、アレイ基板２の画面部４上に等間隔に離間されて設けられている。
【００２７】
さらに、これらスペーサ27は、絶縁性を有する材料にて形成されており、青色フィルタ部46が対向する画素５内の周縁部に設けられている。すなわち、これらスペーサ27は、開口率の低下を防止するために平面視で薄膜トランジスタ８からずれた位置に設けられている。すなわち、これらスペーサ27は、各画素５内において平面視でコンタクトホール26を介した薄膜トランジスタ８の反対側に設けられている。さらに、これらスペーサ27は、画素電極６と対向基板41の青色フィルタ部46との間のセルギャップとしてのセル厚Ａに等しい高さ寸法を有している。
【００２８】
さらに、この層間絶縁膜25上の対向基板41のカラーフィルタ層43に対向する位置には、センサ機能を有する突条のタッチセンサ30が設けられている。このタッチセンサ30は、層間絶縁膜25の一主面である表面より上方に突出した突条の第１の電極部としての突条電極31を備えている。この突条電極31は、スペーサ27の高さ寸法より小さな高さ寸法を有している。また、この突条電極31は、この突条電極31と対向基板41の対向電極47との間の距離の変化に基づく電気的な容量の変化でスイッチングする。言い換えると、これらタッチセンサ30は、突条電極31と対向電極47とによって構成されており、図３に示すように、対向基板41の裏面側を指Ｆなどで押して変形させて、この対向基板41の対向電極47と突条電極31との電気的な接触によってオンするセンサ機能を発揮する。そして、これら突条電極31は、アレイ基板２の画面部４上の画素５内の周縁部に設けられている。すなわち、これら突条電極31は、画素５内における平面視で薄膜トランジスタ８上に設けられている。そして、これら突条電極31は、アレイ基板２の画面部４の縦方向および横方向のそれぞれに沿って等間隔に離間されている。
【００２９】
また、これら突条電極31は、アレイ基板２と対向基板41との間のセル厚Ａより小さな高さ寸法を有している。具体的に、これら突条電極31は、対向基板41のカラーフィルタ層43との間に所定の間隙Ｂができるように形成されている。すなわち、これら突条電極31は、アレイ基板２の層間絶縁膜25と対向基板のカラーフィルタ層43との間のセル厚Ａより小さな高さ寸法を有している。
【００３０】
そして、これら突条電極31は、絶縁性を有する細長略角柱状の絶縁部としての突条のセンサ用突起32を備えている。このセンサ用突起32は、層間絶縁膜25上に下端面を当接させた状態で、この層間絶縁膜25上に積層されて設けられている。また、このセンサ用突起32は、スペーサ27と同じ材料で形成されている。具体的に、このセンサ用突起32は、感光性アクリル樹脂、例えばＮＮ６００(ＪＳＲ株式会社製)にて、高さ３．５μｍで平面視２０μｍ×２０μｍの大きさに形成されている。
【００３１】
さらに、このセンサ用突起32の上端面および外周面のそれぞれである表面には、ＩＴＯにて構成された透明な導電性を有する電極層である表面電極33が積層されている。この表面電極33は、画素電極６と同じ材料で形成され、この画素電極６と同じ工程で同時に形成されている。すなわち、この表面電極33は、画素電極６に対して連続して設けられ、この画素電極６と一体的に設けられている。したがって、この表面電極33は、画素電極６の厚さ寸法に等しい厚さ寸法を有しており、センサ用突起32の表面を覆っている。
【００３２】
また、これら表面電極33のうち、センサ用突起32の上端面を覆う部分が電極部36として機能する。この電極部36は、突条電極31の先端部を構成しており、この突条電極31と対向電極47とをスイッチングさせてオンさせる際に、この対向電極47に機械的に直接接触する部分である。
【００３３】
さらに、各突条電極31を除きスペーサ27および画素電極６を含んだ層間絶縁膜25上には、配向膜34が積層されて設けられている。この配向膜34は、配向膜材料として、例えばＡＬ−３０４６(ＪＳＲ株式会社製)にて８００−１０ｍの膜厚に形成されている。したがって、この配向膜34は、突条電極31の表面電極33および画素電極６を構成するＩＴＯより強度を有しておらず、有機膜であることから剥がれやすい。
【００３４】
具体的に、この配向膜34は、各画素電極６それぞれの表面と、各スペーサ27それぞれの表面、すなわちこれらスペーサ27それぞれの上側面および外側面をそれぞれ覆っている。さらに、この配向膜34は、各突条電極31の表面、すなわちこれら突条電極31の表面電極33の電極部36および外側面のそれぞれを覆っていない。言い換えると、この配向膜34は、突条電極31の表面電極33の電極部36と対向基板41の対向電極47とが接触する部分以外に設けられている。よって、この配向膜34は、突条電極31の表面電極33の電極部36と対向電極47とが対向する部分を除いて設けられている。
【００３５】
すなわち、これら突条電極31それぞれの表面電極33は、配向膜34にて覆われていない。さらに、この配向膜34は、突条電極31の表面電極33と画素電極６と境界部分、すなわちこの表面電極33の下端縁を覆っている。よって、この配向膜34は、図３に示すように、対向基板41の裏面側を指Ｆなどで押した際に少なくとも各突条電極31が接触する部分を除いて設けられている。言い換えると、この配向膜34は、突条電極31の表面電極33と対向基板41の対向電極47とが接触する部分には設けられていない。
【００３６】
また、この配向膜34が設けられている側とは反対側のガラス基板３の他主面である裏面には、矩形平板状の偏光板35が重ね合わされて取り付けられている。この偏光板35は、アレイ基板２のガラス基板４の裏面を略覆う程度の大きさの平面視矩形状に形成されている。
【００３７】
一方、アレイ基板２の表面には、矩形平板状の対向基板41が対向して配設されている。この対向基板41は、略透明な矩形平板状の絶縁基板としての透光性基板であるガラス基板42を備えている。このガラス基板42におけるアレイ基板２に対向した側の一主面である表面には、カラーフィルタ層43が積層されて設けられている。このカラーフィルタ層43は、ガラス基板42の表面より突出して設けられている。
【００３８】
具体的に、このカラーフィルタ層43は、少なくとも２色以上である１組の色単位、例えば赤(Red:Ｒ)色の着色層である赤色層としての赤色フィルタ部44と、緑(Green:Ｇ)色の着色層である緑色層としての緑色フィルタ部45と、青(Blue:Ｂ)色の着色層である青色層としての青色フィルタ部46との３つのドットがガラス基板42の縦方向および横方向のそれぞれに向けて繰り返し配置されて構成されている。
【００３９】
そして、これら赤色フィルタ部44、緑色フィルタ部45および青色フィルタ部46は、アレイ基板２の各画素５に対応するようにガラス基板３上にマトリクス状に形成されている。すなわち、これら赤色フィルタ部44、緑色フィルタ部45および青色フィルタ部46のそれぞれは、アレイ基板２の各画素５の大きさに略等しい平面視矩形状に形成されている。よって、これら複数の赤色フィルタ部44、緑色フィルタ部45および青色フィルタ部46は、アレイ基板２に対向基板41を対向させた際に、このアレイ基板２の各画素５に対応して対向するように設けられている。
【００４０】
ここで、赤色フィルタ部44は、赤色の顔料を分散させて赤色に着色された紫外線硬化型アクリル樹脂レジスト、例えばＣＲＹ−Ｓ６２３Ｃ(富士フィルムアーチ株式会社製)にて、例えば３．２μｍの膜厚に形成された赤色カラーフィルタである。また、緑色フィルタ部45は、緑色の顔料を分散させて緑色に着色された紫外線硬化型アクリル樹脂レジスト、例えばＣＧＹ−Ｓ６２４Ｄ(富士フィルムアーチ株式会社製)にて、例えば３．２μｍの膜厚に形成された緑色カラーフィルタである。さらに、青色フィルタ部46は、青色の顔料を分散させて青色に着色された紫外線硬化型アクリル樹脂レジスト、例えばＣＢＹ−Ｓ６２５Ｃ(富士フィルムアーチ株式会社製)にて、例えば３．２μｍの膜厚に形成された青色カラーフィルタである。よって、これら赤色フィルタ部44、緑色フィルタ部45および青色フィルタ部46のそれぞれは、等しい厚さに形成されている。
【００４１】
さらに、これら複数の赤色フィルタ部44、緑色フィルタ部45および青色フィルタ部46にて構成されたカラーフィルタ層43の一主面である表面上には、電極層としてのコモン電極である矩形平板状の対向電極47が積層されて設けられている。この対向電極47は、透明電極としてのＩＴＯにて構成された第２の電極部としての共通電極であって、突条電極31とともにタッチセンサ30を構成している。そして、この対向電極47は、赤色フィルタ部44、緑色フィルタ部45および青色フィルタ部46それぞれの上側面および外側面のそれぞれを覆っている。また、この対向電極47は、対向基板41とアレイ基板２とを対向させた際に、このアレイ基板２のガラス基板３の画面部４全体に亘って対向する平面視矩形状の大きな電極である。言い換えると、この対向電極47は、アレイ基板２に対向基板41を対向させた際に、このアレイ基板２の各画素５の画素電極６それぞれと相対するように配置されている。
【００４２】
また、この対向電極47上には、配向膜48が積層されて設けられている。この配向膜48は、配向膜材料として、例えばＡＬ−３０４６(ＪＳＲ株式会社製)にて８００−１０ｍの膜厚に形成されている。したがって、この配向膜48は、対向電極47を構成するＩＴＯよりも強度を有しておらず、有機膜であることから剥がれやすい。さらに、この配向膜48は、アレイ基板２に設けられているタッチセンサ30をスイッチングさせる際に接触する部分を除いた対向電極47上に設けられている。
【００４３】
言い換えると、この配向膜48は、図３に示すように、対向基板41の裏面側を指Ｆなどで押した際にタッチセンサ30の突条電極31の表面電極33の電極部36と対向電極47とが対向する部分を除いて設けられている。すなわち、この配向膜48のタッチセンサ30をスイッチングさせる際に接触する部分のそれぞれには、この配向膜48が平面視矩形状に切り欠かれて積層されていない露出部49が設けられている。
【００４４】
そして、この露出部49は、配向膜48に設けられており、この配向膜48から対向電極47を表面側に開口させて露出させている。また、この露出部49は、突条電極31の表面電極33の電極部36を対向電極47に接触させる際に、この表面電極33の電極部36が露出部49の角部に擦れたり引っかかったりしないように、突条電極31の表面電極33の電極部36より大きな平面視矩形状に形成されている。すなわち、この露出部49は、突条電極31の表面電極33の電極部36の幅寸法より大きな幅寸法を有しているとともに、この電極部36の上端部の長手寸法より大きな長手寸法を有する平面視矩形状に形成されている。よって、この露出部49は、対向基板41の裏面を指Ｆなどで押した際に、タッチセンサ30の突条電極31の表面電極33の電極部36が対向基板41の対向電極47に対して直接機械的に接触させて電気的に接続させ、このタッチセンサ30をスイッチングさせる。
【００４５】
また、対向基板41のガラス基板42上のカラーフィルタ層43の周縁には、このカラーフィルタ層43の外周縁を周縁する遮光層としての額縁部50が積層されて設けられている。この額縁部50は、カラーフィルタ層43の外周縁に連続して設けられており、このカラーフィルタ層43の周方向に沿って、このカラーフィルタ層43の外周を覆っている。そして、この額縁部50は、額縁状の遮光領域であって、黒色顔料などが添加された樹脂などにて構成されている。さらに、この額縁部50は、カラーフィルタ層43の厚さ寸法より小さな厚さ寸法を有している。すなわち、この額縁部50は、カラーフィルタ層43より薄く形成されている。
【００４６】
さらに、対向基板41は、この対向基板41の配向膜をアレイ基板２の配向膜に対向させた状態で、アレイ基板２に取り付けられている。すなわち、この対向基板41は、アレイ基板２に設けられている各スペーサ27上の配向膜35を対向基板41の青色フィルタ部46上の配向膜48に当接させて、これらアレイ基板２と対向基板41との間に所定の間隔であるセル厚Ａを有する液晶封止領域Ｄが形成されるように、平行に離間された状態で取り付けられている。
【００４７】
そして、この液晶封止領域Ｄには、液晶材料としての誘電異方性が正である液晶組成物51が注入されて挟持されて光変調層としての液晶層52が形成されている。この液晶層52は、対向基板41の配向膜48とアレイ基板２の配向膜34との間に液晶組成物51が介挿されて封止されて構成されている。さらに、この液晶層52は、アレイ基板２の画素電極６と対向基板41の対向電極47との間に液晶容量を形成させる。
【００４８】
また、アレイ基板２と対向基板41との間の周縁部は、これらアレイ基板２と対向基板41との間の液晶封止領域Ｄに液晶層52を封止させる液晶封止部としてのシール材53が取り付けられて封止されている。このシール材53は、アレイ基板２と対向基板41との間に接着されて、これらアレイ基板２と対向基板41との間をシールしている。また、このシール材53は、アレイ基板２の画面部４の周縁を覆うように設けられており、このアレイ基板２の画面部４と対向基板41との間に液晶封止領域Ｄを形成させる。そして、このシール部43は、対向基板41の額縁部50の外側部とアレイ基板２のガラス基板３の画面部４より外側の部分と間に設けられている。
【００４９】
さらに、このシール材53の周辺には、アレイ基板２から対向電極３に電圧を印加するための図示しない電極転移材が形成されている。この電極転移材は、アレイ基板２と対向基板41との間の図示しない画面周辺部に設けられている図示しない電極転移電極上に形成されている。また、対向基板41のガラス基板42の裏面には、略矩形平板状の偏光板54が重ね合わされて取り付けられている。この偏光板54は、対向基板41のガラス基板42の裏面の略全面を覆う程度の大きさの平面視矩形状に形成されている。
【００５０】
次に、上記第１の実施の形態の液晶表示装置の製造方法を説明する。
【００５１】
まず、アレイ基板２は、成膜工程とパターニング工程とを繰り返してガラス基板３上の画面部４に、薄膜トランジスタ８、走査線11および信号線12のそれぞれを形成してから、これら薄膜トランジスタ８、走査線11および信号線12を含むアンダーコート層上に、感光性アクリル樹脂で層間絶縁膜25を形成する。
【００５２】
次いで、この層間絶縁膜25にコンタクトホール26を設けて、各薄膜トランジスタ８それぞれのドレイン電極22を開口させる。
【００５３】
そして、この層間絶縁膜25上に、感光性アクリル性透明樹脂、例えばＮＮ６００(ＪＳＲ株式会社製)を厚さが３．５μｍとなるようにスピンナ塗布してから、９０℃で１０分乾燥させた後、図示しないフォトマスクを介して３６５ｎｍの波長であり１００ｍＪ／ｃｍ２の露光量で露光する。
【００５４】
この後、この露光された感光性アクリル性透明樹脂をｐＨ１１．５のアルカリ水溶液にて現像して、平面視２０μｍ×２０μｍの大きさのセンサ用突起32を層間絶縁膜25上に形成する。
【００５５】
次いで、コンタクトホール26およびセンサ用突起32を含む層間絶縁膜25上に、ＩＴＯを厚さ５００−１０ｍほどスパッタ法にて成膜した後に、このＩＴＯがセンサ用突起32および層間絶縁膜25上に残るように各画素５に対応させてパターニングして、画素電極６および表面電極33を形成する。
【００５６】
この後、これら画素電極６および表面電極33上に、感光性アクリル性透明樹脂、例えばＮＮ６００(ＪＳＲ株式会社製)を厚さが５．０μｍとなるようにスピンナ塗布してから、９０℃で１０分乾燥させた後、図示しないフォトマスクを介して３６５ｎｍの波長であり１００ｍＪ／ｃｍ２の露光量で露光する。
【００５７】
この後、この露光された感光性アクリル性透明樹脂をｐＨ１１．５のアルカリ水溶液にて現像して、平面視１５μｍ×１５μｍの大きさのスペーサ27を画素電極６上に形成する。
【００５８】
次いで、これら画素電極６、スペーサ27および表面電極33上の全面に、配向膜材料として、例えばＡＬ−３０４６(ＪＳＲ株式会社製)を厚さ８００−１０ｍほど塗布して配向膜34を形成する。
【００５９】
この後、γ−ブチロラクトン(Ｃ４Ｈ６Ｏ２)を図示しないインクジェットノズルにて各突条電極31の表面電極33を覆う部分の配向膜34に塗布して、これら突条電極31の表面電極33を覆う配向膜34を局所的に溶解させて、これら表面電極33のそれぞれを露出させてアレイ基板２を作製する。
【００６０】
一方、対向基板41は、ガラス基板42上に、赤色の顔料を分散させた紫外線硬化型アクリル樹脂レジスト、例えばＣＲＹ−Ｓ６２３Ｃ(富士フィルムアーチ株式会社製)を図示しないスピンナにて塗布してから、このガラス基板42上の赤色を着色したい部分に光が照射されるような図示しないレジストマスクを形成する。
【００６１】
この後、このガラス基板42上に、レジストマスクを介して例えば３６５ｎｍの波長で１００ｍＪ／ｃｍ２のレーザを照射してフォトリソグラフィして画素パターンを形成してから、水酸化カリウム(ＫＯＨ)の１％水溶液で２０秒間現像して、膜厚３．２μｍの赤色フィルタ部44を形成する。
【００６２】
さらに、この赤色フィルタ部44を形成する場合と同様にフォトリソグラフィして、例えばＣＧＹ−Ｓ６２４Ｄ(富士フィルムアーチ株式会社製)を用いて、膜厚３．２μｍの緑色フィルタ部45を形成するとともに、例えばＣＢＹ−Ｓ６２５Ｃ(富士フィルムアーチ株式会社製)を用いて、膜厚３．２μｍの青色フィルタ部46を形成して、ガラス基板42の表示領域にカラーフィルタ層43を形成する。
【００６３】
次いで、このカラーフィルタ層43の周縁のガラス基板42上に、黒色顔料を添加した感光性アクリル樹脂を塗布して額縁部50を形成してから、このカラーフィルタ層43上に膜厚５００−１０ｍのＩＴＯをスパッタ法にて成膜してからパターニングして対向電極47を形成する。
【００６４】
さらに、この対向電極47の全面に、配向膜材料として、例えばＡＬ−３０４６(ＪＳＲ株式会社製)を厚さ８００−１０ｍほど塗布して配向膜48を形成する。
【００６５】
この後、γ−ブチロラクトン(Ｃ４Ｈ６Ｏ２)を図示しないインクジェットノズルにて配向膜48の突条電極31が接触する部分に塗布して、この配向膜18を局所的かつ部分的に溶解させて露出部49を形成させて対向基板41を作製する。
【００６６】
そして、液晶組成物51を注入する部分を除く対向基板41の配向膜の周縁に沿ってシール材53となる接着剤を印刷してから、アレイ基板２から対向電極３に電圧を印加するための図示しない電極転移材を接着剤の周辺の図示しない電極転移電極上に形成する。
【００６７】
次いで、アレイ基板２の配向膜34と対向基板41の配向膜48とを対向させてから加熱して接着剤を硬化させてシール材53とし、これらアレイ基板２と対向基板41とをシール材53にて貼り合わせる。
【００６８】
この後、これらアレイ基板２と対向基板41との間のシール材53にてシールされていない部分が注入口となり、この注入口から、例えばＺＬＩ−１５６５(メルク(ＭＥＲＣＫ)株式会社製)を誘電異方性が正である液晶組成物51として注入して、この液晶組成物51をアレイ基板３と対向基板41との間の液晶封止領域Ｂに介在させる。
【００６９】
この状態で、アレイ基板２と対向基板41との間の注入口を、図示しない封止剤として紫外線硬化樹脂を用いて封止して、カラー表示が可能でタッチパネル機能を有する液晶パネル１を作製する。
【００７０】
上述したように、上記第１の実施の形態によれば、各タッチセンサ30の突条電極31の表面電極33を配向膜34にて覆わずに、この配向膜24から表面電極33を露出させるとともに、対向電極41を覆う配向膜48の突条電極31が接触する部分に露出部49を形成して、この露出部49を介して突条電極31が接触する部分の対向電極47を露出させた。この結果、図３に示すように、対向基板41の裏面側を指Ｆなどで押して、これらアレイ基板２および対向基板41のいずれかを湾曲させて、いずれかのタッチセンサ30の突条電極31の表面電極33を対向基板41の対向電極47に電気的に接続させる際に、この突条電極31の表面電極33がいずれの配向膜34,48にも接触しなくなる。
【００７１】
すなわち、これら突条電極31の表面電極33と対向基板41の対向電極47との間に、比較的削れ易い配向膜34,48が積層されて介在されなくなるので、対向基板41の裏面側を指Ｆなどで押して変形させて、タッチセンサ30を繰り返してスイッチングさせても、配向膜34,48同士の摩擦が生じ得ないので、これらタッチセンサ30のスイッチングによって配向膜34,48が削れるなどしなくなる。したがって、これら配向膜34,48が削れることによって生じる配向不良や、この削れた配向膜34,48が液晶層52中に入り込んで浮遊することによって生じる表示不良などが起きなくなる。よって、これらタッチセンサ30を繰り返してスイッチングさせて使用しても、高い表示品位を維持できるタッチセンサ内蔵型の液晶パネル１にできる。
【００７２】
さらに、図５に示す従来の液晶パネル60のように、アレイ基板61のタッチセンサ62の突条電極63の表面電極64と対向基板71の対向電極72とのそれぞれが配向膜65,73にて覆われており、これら配向膜65,73を介して突条電極63の表面電極64と対向電極72とを電気的に接続させる場合に比べ、図３に示すように、タッチセンサ30をスイッチングさせる際に、このタッチセンサ30の突条電極31の表面電極33と対向基板41の対向電極47とが接触する部分に、配向膜34,48が形成されていないので、これらタッチセンサ30の表面電極33と対向基板41の対向電極47と電気的に接触させた際の接触抵抗を十分に小さくできる。
【００７３】
なお、図５に示す従来の液晶パネル61の場合には、タッチセンサ62のスイッチング操作を５００回繰り返して試験したところ、これらタッチセンサ62の突条電極63の周辺に配向不良に起因した表示むらが発生した。この後、上記タッチセンサ62のスイッチング操作をさらに５００回繰り返して試験したところ、これらタッチセンサ62の表面電極64を覆う配向膜65が剥れて、配向膜65断片による点欠陥が数箇所に亘って発生した。これに対し、上記第１の実施の形態の液晶パネル１の場合には、タッチセンサ30のスイッチング操作を１０００回繰り返して試験しても、表示品位の劣化が全くなかった。
【００７４】
さらに、図４に示す第２の実施の形態のように、アレイ基板２側にカラーフィルタ層43を設けて、このカラーフィルタ層43上にスペーサ27および突条電極31を設けることもできる。このアレイ基板２は、薄膜トランジスタ８、走査線11および信号線12を含むアンダーコート層上にカラーフィルタ層43が積層されている。このカラーフィルタ層43の赤色フィルタ部44、緑色フィルタ部45および青色フィルタ部46のそれぞれは、各画素５に対応して設けられている。そして、これら赤色フィルタ部44、緑色フィルタ部45および青色フィルタ部46のそれぞれには、コンタクトホール26が設けられている。これらコンタクトホール26は、赤色フィルタ部44、緑色フィルタ部45および青色フィルタ部46それぞれの下に設けられている薄膜トランジスタ８のドレイン電極22を開口させている。
【００７５】
さらに、カラーフィルタ層43の緑色フィルタ部45上にセンサ用突起32が積層されて設けられており、このセンサ用突起32を含むカラーフィルタ層43上にＩＴＯが積層されて画素電極６および表面電極33が形成されている。また、青色フィルタ部46を覆う画素電極６上にスペーサ27が設けられている。
【００７６】
そして、各突条電極31を除きスペーサ27および画素電極６を含んだカラーフィルタ層43上に配向膜34が積層されている。さらに、ガラス基板３上には、カラーフィルタ層43の外周を覆うように額縁部50が設けられている。この額縁部50は、カラーフィルタ層43の厚さ寸法より大きな厚さ寸法を有している。
【００７７】
一方、対向基板41は、ガラス基板42上に対向電極47が積層されて設けられており、この対向電極47上に配向膜48が積層されている。そして、この配向膜48のタッチセンサ30の突条電極31が接触する部分に露出部49が設けられている。また、対向基板41の配向膜48をアレイ基板２の配向膜34に対向させた状態で、これらアレイ基板２と対向基板41とがシール材53にてシールされており、これらアレイ基板２と対向基板41との間に液晶組成物51が封止されて液晶層52が形成されている。
【００７８】
次に、上記第２の実施の形態の液晶表示装置の製造方法を説明する。
【００７９】
上述した第１の実施の形態と同様に、ガラス基板３上に薄膜トランジスタ８、走査線11および信号線12を形成する。
【００８０】
この状態で、これら薄膜トランジスタ８、走査線11および信号線12のそれぞれが形成されたガラス基板３上の画面部４上にカラーフィルタ層43を形成してから、このカラーフィルタ層43の外周に額縁部50を形成する。
【００８１】
この後、このカラーフィルタ層43を構成する赤色フィルタ部44、緑色フィルタ部45および青色フィルタ部46のそれぞれに平面視２０μｍ×２０μｍの大きさのコンタクトホール26を形成する。
【００８２】
この状態で、このカラーフィルタ層43上にセンサ用突起32を形成してから、このセンサ用突起32を含むカラーフィルタ層43上にＩＴＯを積層させて画素電極６および表面電極33を形成する。
【００８３】
次いで、カラーフィルタ層43の青色フィルタ部46を覆う画素電極６上にスペーサ27を形成してから、タッチセンサ30を除きスペーサ27および画素電極６を含むカラーフィルタ層43上に配向膜34を形成する。
【００８４】
この後、ガラス基板42上に対向電極47および配向膜48が順次積層されてこの配向膜48に露出部49が形成された対向基板41を作製した後、これらアレイ基板２と対向基板41との間に液晶組成物51を介在させて液晶パネル１を作製する。
【００８５】
この結果、上述した第１の実施の形態と同様に、タッチセンサ30を繰り返してスイッチングしても、高い表示品位を維持できるので、上記第１の実施の形態と同様の作用効果を奏することができる。さらに、カラーフィルタ層43をアレイ基板２側に形成したことにより、液晶パネル１の画素開口率を約７０％まで向上できた。そして、このアレイ基板２側にカラーフィルタ層43を設けた液晶パネル１を点灯評価したところ、上記第１の実施の形態と同様に、高い表示品位を得ることができ、開口率が約１０％ほど向上した分、明るくなり、視認性を向上できた。
【００８６】
なお、上記各実施の形態では、アレイ基板２のタッチセンサ30の突条電極31と対向基板41の対向電極47の突条電極31が接触する部分とのそれぞれから配向膜34,48を局部的に除去した構成としたが、これら突条電極31の表面電極33と対向電極47との間の接触抵抗の大きさや、各配向膜34,48の配向規制力、これら配向膜34,48の強度などを考慮して、これらアレイ基板２の突条電極31と、対向基板41の対向電極47の突条電極31が接触する部分とのいずれか一方のみから配向膜34,48を除去しても、上記各実施の形態と同様の作用効果を奏することができる。
【００８７】
さらに、突条電極31の表面電極33の電極部36と対向電極47との接触部以外に配向膜34,48を形成する方法としては、オフセット印刷などで配向膜34,48を形成した後に、これら配向膜34,48の除去したい部分のみにインクジェットなどで溶剤を吹き付けて配向膜34,48を溶かして局部的に除去したり、これら突条電極31の表面電極33と対向電極47との接触部以外の部分のみにインクジェットで配向膜34,48を塗布したりすることもできる。
【００８８】
また、突条電極31の表面電極33の電極部36と対向電極47とを電気的に接触させてスイッチングするタッチセンサ30としたが、このタッチセンサ30の突条電極31の電極部36をスイッチングさせるための電極層を対向電極47とは別個に対向基板41のガラス基板42上に積層させて設けることもできる。
【００８９】
さらに、液晶パネル１のスペーサ27の高さや、各配向膜34,48に用いる配向膜材料、これら配向膜34,48のラビング方向、液晶組成物51を適宜変更して、ＯＣＢ(Optically Compensated Bend)型、ＶＡ(Vertically Aligned)型あるいはホモジニアス型の液晶パネル１としても、ＴＮ(Twisted Nematic)型の液晶パネル１より視野角や応答時間の特性が良く表示品位を高くできるから、上記各実施の形態の液晶パネル１のタッチパネル機能と変わらない性能を有する液晶パネル１にできる。
【００９０】
また、トップゲートタイプの薄膜トランジスタ８について説明したが、ボトムゲート型構造であるボトムゲートタイプの薄膜トランジスタ８や、コプラナ型の薄膜トランジスタ８であっても対応させて用いることができる。
【００９１】
さらに、アレイ基板２のガラス基板３の画面部４の周縁にＹドライバ回路14やＸドライバ回路15などの周辺駆動回路を作り込んだが、これらＹドライバ回路14やＸドライバ回路15などの周辺駆動回路をアレイ基板２と別個に形成して、このアレイ基板２に接続させてもよい。
【図面の簡単な説明】
【００９２】
【図１】本発明の液晶表示装置の第１の実施の形態を示す説明断面図である。
【図２】同上液晶表示装置を示す説明回路構成図である。
【図３】同上液晶表示装置のセンサをスイッチングした状態を示す説明図である。
【図４】本発明の液晶表示装置の第２の実施の形態を示す説明断面図である。
【図５】従来の液晶表示装置のセンサをスイッチングした状態を示す説明図である。
【符号の説明】
【００９３】
１    液晶表示装置としての液晶パネル
２    アレイ基板
３    絶縁基板としてのガラス基板
５    画素
31    突条電極
34    配向膜
41    対向基板
42    絶縁基板としてのガラス基板
43    カラーフィルタ層
47    電極層としての対向電極
48    配向膜
51    液晶としての液晶組成物
【図１】
2007052368.tif 000003
【図２】
2007052368.tif 000004
【図３】
2007052368.tif 000005
【図４】
2007052368.tif 000006
【図５】
2007052368.tif 000007